(57)【要約】【課題】部品点数が少なく且つ携帯式電子装置の開閉操作をより簡単に行える回転装置及びそれを用いる携帯式電子装置を提供する。【解決手段】本発明に係る回転装置は、主体板と、それぞれ前記主体板の対向する両面に回転可能に装着される回転板及び弾性部材と、ガイドピンと、を備える。前記主体板にはガイド溝が設けられており、前記ガイド溝の両端はそれぞれ前記主体板の対向する両辺に近接する。前記ガイドピンは、前記ガイド溝を貫通し且つ前記弾性部材の一端と前記回転板とに連結され、前記弾性部材の他端は、前記主体板に固定される。前記ガイドピンは、前記ガイド溝に沿って曲線的にスライドすると共に、前記弾性部材に弾発力を蓄積、あるいは解放させることにより、前記回転板を前記主体板に対して回転させる。【選択図】図１
2011244429.tif 000002
【特許請求の範囲】
【請求項１】
主体板と、それぞれ前記主体板の対向する両面に回転可能に装着される回転板及び弾性部材と、ガイドピンと、を備えてなる回転装置であって、
前記主体板にはガイド溝が設けられており、前記ガイド溝の両端はそれぞれ前記主体板の対向する両辺に近接し、
前記ガイドピンは、前記ガイド溝を貫通し且つ前記弾性部材の一端と前記回転板とに連結され、前記弾性部材の他端は、前記主体板に固定され、
前記ガイドピンは、前記ガイド溝に沿って曲線的にスライドすると共に、前記弾性部材に弾発力を蓄積、あるいは解放させることによって、前記回転板を前記主体板に対して回転させることを特徴とする回転装置。
【請求項２】
前記回転装置は、回転軸をさらに備え、
前記回転板には、第一位置決め孔及び第二位置決め孔が設けられ、これら第一位置決め孔及び第二位置決め孔の接続線は前記回転板の１つの対角線に近接し、前記主体板には、第一固定孔が設けられ、
前記回転軸は、前記第一固定孔及び前記第一位置決め孔内に係止され、前記ガイドピンは、前記ガイド溝を貫通して前記第二位置決め孔に係止されることを特徴とする請求項１に記載の回転装置。
【請求項３】
前記ガイド溝は、前記主体板の中部を貫通するように設けられた円弧状の溝であり、且つ前記主体板の軸対称線に対して左右対称であり、前記第一固定孔は前記軸対称線上に設置されることを特徴とする請求項２に記載の回転装置。
【請求項４】
前記主体板は、前記軸対称線上に設けられている第二固定孔をさらに備え、前記ガイド溝は、前記第一固定孔と前記第二固定孔との間に位置し、
前記弾性部材の一端は、前記第二固定孔に固定され、前記弾性部材の他端は、前記ガイドピンにより前記主体板の前記ガイド溝にスライド可能に装着されることを特徴とする請求項３に記載の回転装置。
【請求項５】
本体と、カバー体と、前記本体と前記カバーとの間に装着される回転装置と、を備えてなる携帯式電子装置であって、
前記回転装置は、前記本体に固定される主体板と、前記カバー体に固定される回転板と、弾性部材と、ガイドピンと、を備え、前記弾性部材及び前記回転板は、それぞれ前記主体板の対向する両面に設置され、
前記主体板にはガイド溝が設けられており、前記ガイド溝の両端はそれぞれ前記主体板の対向する両辺に近接し、
前記ガイドピンは、前記ガイド溝を貫通し且つ前記弾性部材の一端と前記回転板とに連結され、前記弾性部材の他端は、前記主体板に係止され、
前記ガイドピンは、前記ガイド溝に沿って曲線的にスライドすると共に、前記弾性部材に弾発力を蓄積、あるいは解放させることにより、前記回転板を前記主体板に対して回転させることを特徴とする携帯式電子装置。
【請求項６】
前記カバー体には、前記回転板を固定することに用いられる係合用凹所が設けられ、
前記本体には、前記主体板を固定することに用いられる収容凹所が設けられ、前記弾性部材は、前記主体板と前記収容凹所との間に挟持されることを特徴とする請求項５に記載の携帯式電子装置。
【発明の詳細な説明】
【技術分野】
【０００１】
本発明は、携帯式電子装置のカバー体と本体とを回転可能に連結する回転装置及びそれを用いる携帯式電子装置に関するものである。
【背景技術】
【０００２】
従来、携帯電話機などのような携帯式電子装置において、通話機能を主とする各種機能の利便性を考慮して、液晶画面が縦長状態に設けられる。近年では、携帯電話機には、通話機能だけでなく、インターネット機能やメール機能が付加されている。特に、携帯式電子装置用のデジタル放送サービスが開始されたことに伴い、動画再生及びＴＶ放送などのマルチメディア機能が備わった携帯電話機が普及している。ここで、ビデオを視聴することを考えると、液晶画面を横長状態にする方が好ましい。
【０００３】
また最近、携帯式電子装置にはデザイン性も求められており、カバー体と本体との開閉機構も、このデザイン性の重要な要素をなすものである。そのため、従来の折り畳み式やスライドタイプ以外の斬新な開閉機構を備えた携帯電子装置が望まれている。
【０００４】
最近、液晶表示部を本体に対して、縦長状態と横長状態とに切り替える平面回転式の携帯式電子装置が提案されている（特許文献１参照）が、これらの携帯式電子装置は、回転規制カムを介してカバーを本体に対して横長状態に回転させるため、部品点数が多く、構造が複雑であり、携帯式電子装置の厚さ及びコストを増加させるという問題が存在する。
【特許文献１】特開２００９−１０５４８５号公報
【発明の開示】
【発明が解決しようとする課題】
【０００５】
本発明の目的は、部品点数が少なく且つ携帯式電子装置の開閉操作をより簡単に行える回転装置及びそれを用いる携帯式電子装置を提供する。
【課題を解決するための手段】
【０００６】
前記目的を達成するために、本発明に係る回転装置は、主体板と、それぞれ前記主体板の対向する両面に回転可能に装着される回転板及び弾性部材と、ガイドピンと、を備えてなる。前記主体板にはガイド溝が設けられており、前記ガイド溝の両端はそれぞれ前記主体板の対向する両辺に近接する。前記ガイドピンは、前記ガイド溝を貫通し且つ前記弾性部材の一端と前記回転板とに連結され、前記弾性部材の他端は、前記主体板に固定される。前記ガイドピンは、前記ガイド溝に沿って曲線的にスライドすると共に、前記弾性部材に弾発力を蓄積、あるいは解放させることにより、前記回転板を前記主体板に対して回転させる。
【０００７】
また、本発明に係る携帯式電子装置は、本体と、カバー体と、前記本体及び前記カバーの間に装着される回転装置とを備えてなる。前記回転装置は、主体板と、それぞれ前記主体板の対向する両面に回転可能に装着される回転板及び弾性部材と、ガイドピンと、を備えてなる。前記主体板にはガイド溝が設けられており、前記ガイド溝の両端はそれぞれ前記主体板の対向する両辺に近接する。前記ガイドピンは、前記ガイド溝を貫通し且つ前記弾性部材の一端と前記回転板とに連結され、前記弾性部材の他端は、前記主体板に固定される。前記ガイドピンは、前記ガイド溝に沿って曲線的にスライドすると共に、前記弾性部材に弾発力を蓄積、あるいは解放させることにより、前記回転板を前記主体板に対して回転させる。
【発明の効果】
【０００８】
従来の技術に比べて、本発明の回転装置は、ガイドピンをガイド溝内でスライドさせることにより、前記回転板を連動して前記主体板に対して回転させ、且つ弾性部材によって前記回転板の前記主体板に対する回転のための駆動力を提供する。従って、本発明は、少ない部品及び簡単な回転装置によって、携帯式電子装置のカバー体を本体に対して縦長状態と横長状態とに切り替えることができる。
【図面の簡単な説明】
【０００９】
【図１】本発明に係る回転装置の分解図である。
【図２】本発明に係る回転装置を利用した携帯式電子装置の分解図である。
【図３】本発明に係る回転装置が携帯式電子装置に組み込まれた状態での透視図である。
【図４】図３に示した携帯式電子装置が開放される過程における透視図である。
【図５】図３に示した携帯式電子装置が完全に開放された状態での透視図である。
【発明を実施するための形態】
【００１０】
本発明に係る回転装置は、携帯電話或いは個人用携帯情報端末（ＰＤＡ）などの携帯式電子装置に用いられる。以下の実施形態では、携帯電話を例として説明する。
【００１１】
図１に示したように、本発明の実施形態に係る回転装置は、回転板３０と、主体板４０と、回転軸４６と、弾性部材５０と、ガイドピン５７と、を備える。前記回転板３０は、前記回転軸４６及び前記ガイドピン５７を介して前記主体板４０に回転可能に装着される。前記弾性部材５０は、前記回転板３０を前記主体板４０に対して回転させるための駆動力を提供する。
【００１２】
前記回転板３０は、携帯電話のカバー体或いは携帯電話のカバー体に固定される独立した部品であることができる。本実施形態において、前記回転板３０は、独立した部品として、前記カバー体２０の係合用凹所２１内に固定される（図２を参照）。前記回転板３０は、矩形の板状体３１、第一位置決め孔３２及び第二位置決め孔３３を備える。前記第一位置決め孔３２及び前記第二位置決め孔３３は、それぞれ前記板状体３１の対角線に近接して貫通設置された孔であり、且つ前記第一位置決め孔３２と前記第二位置決め孔３３との接続線は、前記板状体３１の対角線に平行する。
【００１３】
前記主体板４０は、矩形の板状体４１及び前記板状体４１に設けられたガイド溝４５を備える。前記板状体４１は、表面４２、第一固定孔４３及び第二固定孔４４を備える。前記第一固定孔４３及び前記第二固定孔４４は、前記板状体４１の軸対称線Ｏ−Ｏに間隔をあけて位置する（図１を参照）。前記第一固定孔４３は、前記第一位置決め孔３２に対応し、前記第二固定孔４４は、前記弾性部材５０を固定することに用いられる。前記ガイド溝４５は、円弧状の貫通溝であり、前記板状体４１の中部を貫通するように設けられ、且つ前記第一固定孔４３と前記第二固定孔４４との間に位置する。前記ガイド溝４５は、前記軸対称線Ｏ−Ｏに対して左右対称とされている。前記ガイド溝４５は、互いに連通する第一係止端４５１及び第二係止端４５２を有し、前記第一係止端４５１及び前記第二係止端４５２は、それぞれ前記主体板４０の対向する両辺に近接して位置する。
【００１４】
前記回転軸４６は、フランジ部４６１及び前記フランジ部４６１に直交して連結される軸部４６３を備える。前記軸部４６３は、前記第一固定孔４３に挿入された後に前記第一位置決め孔３２に回転可能に係止され、前記フランジ部４６１は、前記第一固定孔４３の外縁に当接する。前記回転板３０は、前記回転軸４６を介して前記主体板４０に回転可能に装着される。
【００１５】
前記弾性部材５０は、複数の線状体から構成される弓状の弾性束であり、且つそれぞれ取付孔５３が設けられている第一固定端５１及び第二固定端５２を備える。前記第一固定端５１は、リベット５４を介して前記第二固定孔４４に固定され、前記第二固定端５２は、前記ガイドピン５７を介して前記ガイド溝４５に係止される。このようにして、前記弾性部材５０を前記主体板４０に装着する。
【００１６】
前記ガイドピン５７は、略「Ｔ」字型を呈し、フランジ部５７１及び前記フランジ部５７１に直交して連結された柱状体５７３を備える。前記ガイドピン５７は、前記ガイド溝４５内にスライド可能に設置される。
【００１７】
以下、図１を参照しながら、本発明に係る回転装置の組立てについて詳細に説明する。
【００１８】
前記回転装置を組み立てる場合、まず、前記第二位置決め孔３３が前記ガイド溝４５の第一係止端４５１に対応し、且つ前記第一位置決め孔３２が前記第一固定孔４３に対応するように、前記回転板３０を前記主体板４０の表面４２に設置する。次に、前記表面４２に対向する側から、前記回転軸４６の軸部４６３を、前記主体板４０の第一固定孔４３に挿入して、前記回転板３０の第一位置決め孔３２に係止させる。この際、前記フランジ部４６１は、前記板状体４１の前記表面４２に対向する面に当接する。このようにして、前記回転板３０は、前記回転軸４６を介して前記主体板４０に回転可能に装着される。続いて、前記リベット５４を介して、前記弾性部材５０の第一固定端５１を前記主体板４０の第二固定孔４４へ、回転可能に装着する。最後に、前記ガイドピン５７の柱状体５７３を、前記弾性部材５０の第二固定端５２の取付孔５３及び前記ガイド溝４５の第一係止端４５１に貫通させて、前記柱状体５７３の端部を前記回転板３０の第二位置決め孔３３に係止させる。この際、前記フランジ部５７１は、前記板状体４１の前記表面４２に対向する面に当接し、前記弾性部材５０の第二固定端５２は、前記柱状体５７３が前記ガイド溝４５に沿ってスライドすることによって、前記ガイド溝４５に沿ってスライドする。
【００１９】
図２に示したように、本発明の携帯電話は、本体１０及び前記本体１０に重ね合せて設置されるカバー体２０を備える。前記本体１０の上面には、収容凹所１１が設けられている。前記カバー体２０の前記本体１０に対面する表面には、前記収容凹所１１の位置に対応する係合用凹所２１が設けられ、且つ前記カバー体２０の前記収容凹所１１から離れる側の表面には、表示パネル（図示せず）が設けられている。
【００２０】
前記回転装置を携帯電話に組み込む場合、前記主体板４０を前記本体１０の収容凹所１１内に装着して、前記弾性部材５０を前記主体板４０と前記収容凹所１１との間に挟持する。続いて、前記回転板３０を前記カバー体２０の係合用凹所２１内に係合させる。
【００２１】
図３〜図５に示したように、前記カバー体２０を回転する場合、図４に示した矢印Ａの方向に沿って前記カバー体２０を推進すると、前記主体板４０が前記本体１０に固定されて動かないため、前記回転板３０は前記カバー体２０に誘導されて、前記主体板４０に対して回転する。従って、前記ガイドピン５７は、前記ガイド溝４５の第一係止端４５１から第二係止端４５２に向って曲線的にスライドすると共に、前記回転板３０は前記回転軸４６を中心として前記主体板４０に対して回転する。この過程において、前記弾性部材５０は前記ガイドピン５７に誘導されて、前記第一係止端４５１から第二係止端４５２に向って移動しながら、弾発力を蓄積する。前記ガイドピン５７が前記ガイド溝４５の中間位置（図１におけるＯ−Ｏ線とスライド溝４５との交点位置）を滑り超えると、前記弾性部材５０は、弾発力を解放して伸長すると共に、前記ガイドピン５７を前記第二係止端４５２までスライドさせる。これにより、前記回転板３０及びそれに固定連結されている前記カバー体２０は、前記本体１０に対して９０度、回転する。
【００２２】
本発明に係る回転装置は、回転板３０、主体板４０、回転軸４６、弾性部材５０及びガイドピン５７を備える。前記回転板３０は前記回転軸４６及びガイドピン５７を介して前記主体板４０に回転可能に連結され、且つ前記弾性部材５０は前記回転板３０を前記主体板４０に対して回転させる駆動力を提供する。前記回転板３０及び前記主体板４０は、それぞれ携帯電話のカバー体２０及び本体１０に固定されているため、前記回転板３０が前記主体板４０に対して９０度、回転する際に、前記カバー体２０も前記本体１０に対して９０度、回転して横長状態になる。従って、本発明の回転装置を利用した携帯式電子装置は、便利に視聴することを可能にする。
【００２３】
以上、本発明の好適な実施形態について詳細に説明したが、本発明は前記実施形態に限定されるものではなく、本発明の範囲内で種々の変形又は改良が可能であり、該変形又は改良も本発明の特許請求の範囲内に含まれることは、いうまでもない。
【符号の説明】
【００２４】
１０          本体
１１          収容凹所
２０          カバー体
２１          係合用凹所
３０          回転板
３１          板状体
３２          第一位置決め孔
３３          第二位置決め孔
４０          主体板
４１          板状体
４２          表面
４３          第一固定孔
４４          第二固定孔
４５          ガイド溝
４６          回転軸
５０          弾性部材
５１          第一固定端
５２          第二固定端
５３          取付孔
５４          リベット
５７          ガイドピン
４５１        第一係止端
４５２        第二係止端
４６１        フランジ部
４６３        軸部
５７１        フランジ部
５７３        柱状体    
【図１】
2011244429.tif 000003
【図２】
2011244429.tif 000004
【図３】
2011244429.tif 000005
【図４】
2011244429.tif 000006
【図５】
2011244429.tif 000007